(57)【要約】【課題】廃棄物収集車において、廃棄物の排出時に廃棄物及びその汚水が拡散するのを防ぐ。【解決手段】車体２上に、後方開口部３を有し、該車体２後方に設けた傾動軸を中心に傾動可能な廃棄物収集箱４を搭載し、この後方開口部３の後面に後方開口部３を開閉自在に廃棄物投入箱７を設ける。この廃棄物投入箱７内に投入口７ａから投入された廃棄物を廃棄物収集箱４に収集する反転投入装置１０（廃棄物収集装置）を設ける。廃棄物収集箱４の後方開口部３の下端両隅角部４ｃ周縁に、廃棄物収集箱４を傾動させて内部の廃棄物を排出するときに、廃棄物及びその汚水が拡散するのを防止するシュータ４０を突設する。【選択図】図１１
2008308291.tif 000002
【特許請求の範囲】
【請求項１】
車体上に搭載され、後方開口部を有し、該車体後方に設けた傾動軸を中心に傾動可能な廃棄物収集箱と、
該後方開口部の後面に該後方開口部を開閉自在に連設された廃棄物投入箱と、
該廃棄物投入箱内に設けられ、該廃棄物投入箱の投入口から投入された廃棄物を廃棄物収集箱に収集する廃棄物収集装置とを備えた廃棄物収集車であって、
上記廃棄物収集箱の後方開口部の下端両隅角部周縁には、該廃棄物収集箱を傾動させて内部の廃棄物を排出するときに、廃棄物及びその汚水が拡散するのを防止するシュータが突設されている
ことを特徴とする廃棄物収集車。
【請求項２】
請求項１に記載の廃棄物収集車において、
上記シュータは、後方に向かって左右内側に傾斜するテーパ面を有している
ことを特徴とする廃棄物収集車。
【請求項３】
請求項２に記載の廃棄物収集車において、
上記シュータは、略三角錐台形状又は略三角錐形状である
ことを特徴とする廃棄物収集車。
【請求項４】
請求項１乃至３のいずれか１つに記載の廃棄物収集車において、
上記廃棄物収集装置は、上記廃棄物投入箱内に昇降及び反転可能に設けられ、該廃棄物投入箱の投入口から投入された廃棄物を廃棄物収集箱に収集する昇降バケットを備えている
ことを特徴とする廃棄物収集車。
【発明の詳細な説明】
【技術分野】
【０００１】
本発明は、魚のあらなどの廃棄物を収集する廃棄物収集車に関するものである。
【背景技術】
【０００２】
従来より、車体上に搭載され、後方開口部を有し、車体後方に設けた傾動軸を中心に傾動可能な廃棄物収集箱と、この後方開口部の後面に該後方開口部を開閉自在に連設された廃棄物投入箱と、この廃棄物投入箱内に設けた廃棄物収集装置とを備え、この廃棄物収集装置によって、廃棄物投入箱の投入口から投入された廃棄物を廃棄物収集箱に収集する廃棄物収集車は知られている（例えば、特許文献１）。
【０００３】
しかしながら、このような廃棄物収集車では、魚のあらなどの水分を多量に含む廃棄物を収集する場合、廃棄物より多量の汚水がにじみ出る。このような廃棄物を排出する際には、汚水などが廃棄物と共に後方開口部より下方に滴下するため、廃棄物投入箱の下方に位置する車体側部材、例えばシャーシフレームの後端部などが汚水によって汚れたり、廃棄物収集車の周囲を汚染したりするという問題がある。
【０００４】
そこで、例えば、特許文献２では、後方開口部下方の下部空間に、廃棄物収集箱と略同一幅に形成されたカバー体を、廃棄物収集箱よりも後方にかつ下方に張り出して設けている。
【特許文献１】特開２００４−１８２１６号公報
【特許文献２】実開平６−６３０８号公報
【発明の開示】
【発明が解決しようとする課題】
【０００５】
しかしながら、特許文献２の廃棄物収集車であっても、廃棄物を勢いよく排出すると、後方開口部から廃棄物が汚水と共に広がるように排出され、カバー体を超えて流れ出し、廃棄物収集車の周囲を汚染するという問題がある。
【０００６】
本発明は、かかる点に鑑みてなされたものであり、その目的とするところは、廃棄物収集箱の構成に工夫を加えることで、廃棄物の排出時に廃棄物及びその汚水が拡散するのを防ぐことにある。
【課題を解決するための手段】
【０００７】
上記の目的を達成するために、この発明では、後方開口部の下端両隅角部周縁に廃棄物及びその汚水が拡散するのを防止するシュータを設けた。
【０００８】
具体的には、第１の発明では、車体上に搭載され、後方開口部を有し、該車体後方に設けた傾動軸を中心に傾動可能な廃棄物収集箱と、
該後方開口部の後面に該後方開口部を開閉自在に連設された廃棄物投入箱と、
該廃棄物投入箱内に設けられ、該廃棄物投入箱の投入口から投入された廃棄物を廃棄物収集箱に収集する廃棄物収集装置とを備えた廃棄物収集車を対象とする。
【０００９】
上記廃棄物収集車における、上記廃棄物収集箱の後方開口部の下端両隅角部周縁には、該廃棄物収集箱を傾動させて内部の廃棄物を排出するときに、廃棄物及びその汚水が拡散するのを防止するシュータが突設されている。
【００１０】
上記の構成によると、廃棄物収集箱を傾動させて魚のあらなどの水分を多く含んだ廃棄物を排出するときに、廃棄物と共に、廃棄物よりにじみ出て廃棄物収集箱の底に溜まった汚水が勢いよく流れ出すが、廃棄物及びその汚水は、後方開口部の下端両隅角部周縁に設けたシュータに誘導されて拡散せず、周囲を汚染することはない。シュータは、廃棄物収集箱の一部のみ占有するだけなので、その容量の減少は、最小限に保たれる。
【００１１】
第２の発明では、第１の発明において、
上記シュータは、後方に向かって左右内側に傾斜するテーパ面を有している。
【００１２】
上記の構成によると、廃棄物収集箱を傾動させて魚のあらなどの水分を多く含んだ廃棄物を排出するときに、廃棄物と共に汚水が勢いよく流れ出すが、廃棄物及びその汚水は、後方開口部の下端両隅角部周縁に設けたシュータのテーパ面に誘導されて左右内側に向かって流れ出すので、廃棄物及びその汚水は拡散せず、周囲を汚染することはない。
【００１３】
第３の発明では、第２の発明において、
上記シュータは、略三角錐台形状又は略三角錐形状である。
【００１４】
上記の構成によると、シュータが製缶しやすく、廃棄物収集箱の容量の減少は、最小限に保たれる。
【００１５】
第４の発明では、第１乃至第３のいずれか１つの発明において、
上記廃棄物収集装置は、上記廃棄物投入箱内に昇降及び反転可能に設けられ、該廃棄物投入箱の投入口から投入された廃棄物を廃棄物収集箱に収集する昇降バケットを備えている。
【００１６】
上記の構成によると、袋詰めされていない廃棄物を昇降バケットに投入後、昇降バケットを上昇させて反転させ、昇降バケット内の廃棄物を確実に廃棄物収集箱に収集する。また、袋詰めできないような、汚水がにじみ出て排出時に拡散されやすい廃棄物がシュータに誘導されるので、廃棄物及びその汚水は拡散せず、周囲を汚染することはない。
【発明の効果】
【００１７】
以上説明したように、上記第１の発明によれば、廃棄物収集箱を傾動させて排出される廃棄物及びその汚水を、後方開口部の下端両隅角部周縁に設けたシュータで誘導するようにしたことにより、廃棄物収集箱の容積の減少を最小限に保ちながら、廃棄物の排出時に廃棄物及びその汚水が拡散するのを確実に防ぐことができるので、周囲を汚さずに効率よく廃棄物を廃棄することができる。
【００１８】
上記第２の発明によれば、廃棄物及びその汚水をシュータのテーパ面によって左右内側に向かって流れ出すように誘導するようにしたことにより、簡単な構成で、廃棄物及びその汚水の拡散を防いで周囲の汚染を確実に防ぐことができる。
【００１９】
上記第３の発明によれば、シュータを略三角錐台形状又は略三角錐形状としたことにより、廃棄物の付着が少ない上、製缶しやすく、最小限の大きさのシュータが得られる。
【００２０】
上記第４の発明によれば、廃棄物を昇降バケットにより、廃棄物収集箱に収集するようにしたことにより、袋詰めできないような拡散しやすい廃棄物でも、その汚水と共にシュータによって誘導し、その拡散を防止することができる。
【発明を実施するための最良の形態】
【００２１】
以下、本発明の実施形態を図面に基づいて説明する。
【００２２】
−廃棄物収集車の構造−
図２乃至図４は、本発明の実施形態の廃棄物収集車１を示し、この廃棄物収集車１は、走行可能な車体２を有し、この車体２上には、後方開口部３を有する廃棄物収集箱４が搭載されている。この廃棄物収集箱４は、車体２に設けた傾動シリンダ５を伸縮させることにより、車体２後方の傾動軸６を中心に傾動可能（ダンプ可能）に構成されている。
【００２３】
上記後方開口部３の後面には、廃棄物投入箱７が後方開口部３を開閉可能に設けられている。すなわち、この廃棄物投入箱７は、後方開口部３に設けた回動シリンダ８を伸縮させることで、後方開口部３の上端に設けた回動軸９を中心に回動可能に支持され、このことで、後方開口部３を開閉可能となっている。廃棄物投入箱７の後面には、廃棄物を投入する投入口７ａが設けられている。廃棄物投入箱７の前壁７ｂの上側には、収集口７ｃが開口されている。
【００２４】
図１，図５及び図６に示すように、上記廃棄物投入箱７の内部には、廃棄物収集装置としての反転投入装置１０が設けられている。この反転投入装置１０は、後方開口部３の横幅よりも若干狭い横幅を有する昇降バケット１１を備えている。
【００２５】
図７乃至図９に示すように、廃棄物投入箱７の左右内面には、上端が前方へ傾斜したガイド１２がそれぞれ設けられている。各ガイド１２の上下には、上プーリ１３と下プーリ１４とがそれぞれ回転自在に設けられ、これら上下プーリ１３，１４にワイヤ１５が掛けられている。
【００２６】
図９に示すように、廃棄物投入箱７の下端には、バケットシリンダ２０が左右に伸びるように配置されている。バケットシリンダ２０のシリンダ側は、後方から見て左側の廃棄物投入箱７の下面７ｄに固定され、左側端部に下プーリ１４と並列に左プーリ２１が回転自在に連結されている。バケットシリンダ２０のシリンダロッド２０ａの先端には、２枚の右プーリ２２が回転自在に連結されている。右プーリ２２は、バケットシリンダ２０の伸縮に伴い、左右に移動するようになっている。上記左右のワイヤ１５の先端１５ａには、スライダ２３がそれぞれ連結されている。右側のワイヤ１５の他端１５ｂは、上記上プーリ１３及び下プーリ１４を通って左プーリ２１を通過し、後側の右プーリ２２を通って廃棄物投入箱７の下端に固定されている。左側の他端１５ｂは、上記上プーリ１３及び下プーリ１４を通って前側の右プーリ２２を通過し、廃棄物投入箱７の下端に固定されている。左右のポスト１２には、後面側が開口するように、このポスト１２に沿ってガイド溝２４が形成され、ガイド溝２４内にスライダ２３が配置されている。このように構成することで、バケットシリンダ２０を伸縮させると、ワイヤ１５が巻き取られ、又は繰り出され、左右のガイド溝２４上をスライダ２３がそれぞれ昇降するようになっている。
【００２７】
上記左右のスライダ２３には、左右に伸びるバケット支持軸２５が回転自在に連結されている。このバケット支持軸２５には、昇降バケット１１の前面上側に突設したリブ１１ａが回転一体に連結されている。
【００２８】
上記ガイド１２のガイド溝２４の左右内側（左右いずれか一方でもよい）には、このガイド溝２４に沿ってガイドレール２８が形成されている。このガイドレール２８の上端部２８ａは、前方側へ鉤状に湾曲形成されている。このガイドレール２８内には、昇降アーム２６の一端に回転自在に連結されたガイドローラ２９が昇降自在に配置されている。昇降アーム２６の他端は、バケット支持軸２５に回転一体に挿入されている。
【００２９】
このように構成することで、バケットシリンダ２０を伸縮させるとスライダ２３が昇降し、そのことで、ガイドローラ２９もガイドレール２８内を昇降して昇降バケット１１が昇降すると共に、上端まで上昇した昇降バケット１１がガイドレール２８の上端部２８ａで反転されるようになっている。このため、昇降バケット１１が昇降及び反転可能となり、廃棄物投入箱７の投入口７ａから投入された廃棄物を収集口７ｃから廃棄物収集箱４に収集するようになっている。
【００３０】
図５、図６及び図１０に示すように、廃棄物収集車１は、廃棄物投入箱７の下部に昇降バケット１１の質量を計量可能なバケット計量装置３０を備えている。このバケット計量装置３０は、廃棄物投入箱７の下面７ｄに載置されている。すなわち、投入口７ａの下端には、起伏自在な回転台１６が設けられ、その前側にバケット計量装置３０が配置されている。バケット計量装置３０は、昇降バケット１１の質量を計量する公知の計量器３１を備え、この計量器３１は、リフタ３２により昇降可能に支持されている。この計量器３１は、図示しないデジタル表示計に信号を送るように構成されている。このデジタル表示計は、計量結果を記憶可能に構成され、その場で廃棄物の合計を計算して印刷可能となっている。また、記憶した結果を事務所に持ち帰ることもできるようになっている。
【００３１】
上記リフタ３２は、上方が開口した平面視矩形状のケーシング３３を備えている、ケーシング３３は、鋼板で構成してもよいし、強化樹脂で構成してもよい。このケーシング３３の上端開口３３ａは、上記計量器３１を支持する計量台３４で閉じられている。この計量台３４は、ケーシング３３に載せられた矩形皿形の蓋よりなる。
【００３２】
上記ケーシング３３の前後側壁３３ｂには、一対のカム軸３５が前後方向に伸びるように回転自在に設けられている。各カム軸３５には、このカム軸３５と一体に回転するようにシリンダ側カム部材３６が連結されている。ケーシング３３は、前後に延びる左右隔壁３３ｃで区画され、この左右隔壁３３ｃに昇降シリンダ３７のチューブ側端部が回動可能に連結されている。シリンダ側カム部材３６の他端は、昇降シリンダ３７のシリンダロッド３７ａの先端に回転可能に連結されている。各カム軸３５の前後両端には、シリンダ側カム部材３６よりも腕部の短い計量台側カム部材３８がその腕部の位置をシリンダ側カム部材３６の位置とずらせて回転一体に連結されている。計量台側カム部材３８の先端には、押し上げローラ３９が回転自在に設けられ、この押し上げローラ３９が計量台３４裏面に当接して回転しながら計量台３４を押し上げるように構成されている。すなわち、リフタ３２は、各昇降シリンダ３７のシリンダロッド３７ａを伸縮させてシリンダ側カム部材３６及び計量台側カム部材３８を揺動させて計量台３４を昇降させるように構成されている。
【００３３】
計量台３４に計量器３１を載せた状態で下降位置にある昇降バケット１１の下面との間に高さｈの隙間ができている。このようにリフタ３２を構成することで、昇降バケット１１の計量時に計量器３１を、高さｈよりも上昇させて下降位置にある昇降バケット１１を押し上げることで、昇降バケット１１の質量を計量可能に構成されている。また、昇降シリンダ３７を水平に設けることで、計量台３４の昇降方向（上下方向）に立てて設ける場合に比べて上下方向の高さが削減されている。
【００３４】
そして、図１１及び図１２に示すように、本発明の特徴として、廃棄物収集箱４の底面４ａと両側壁４ｂとの間に形成される下端両隅角部４ｃの後方開口部３の周縁には、シュータ４０が突設されている。シュータ４０は、略三角錐台形状のもので、後方に向かって左右内側に傾斜するテーパ面４０ａを有している。シュータ４０の後面４０ｂは、垂直に立設され、上端は、左右内側に向かって下方に傾斜している。シュータ４０の上面４０ｃは、左右方向内側に向かって傾斜している。
【００３５】
このようなシュータ４０の形状により、シュータ４０は、廃棄物収集箱４を傾動させて内部の廃棄物を排出するときに、廃棄物及びその汚水が拡散するのを防止する役割を果たしている。
【００３６】
上記後方開口部３下方の下部空間には、廃棄物収集箱４と略同一幅に形成された車幅方向に延びる鋼板製のカバー体５２が、後方開口部３よりも後方にかつ下方に張り出して設けられている。上記カバー体５２は、左右のシャーシフレーム（図示せず）間に配された中央に位置する中央カバー部５３と、上記左右のシャーシフレームの外方、つまり中央カバー部５３の左右端に連設された左右カバー部５４とからなる。上記中央カバー部５３は、上記廃棄物収集箱４の下面４ａ後端の補強メンバ（図示せず）に上側前端が接合されて後方へ下向きに延びたのち、上記左右のシャーシフレームの後端面に沿ってさらに後方へ下向きに延びて断面略くの字状に形成されている。一方、上記左右カバー部５４は、廃棄物投入箱７を後方開口部３に固縛する固縛フック（図示せず）の揺動軌跡との干渉が回避されるよう，上記左右のシャーシフレームの外側面後端に接合されつつ、後側下端位置において上記中央カバー部５３に一致するよう後方へ下向きに延びて断面略直線状に形成されている。
【００３７】
−廃棄物収集車の作動−
次に、本実施形態にかかる廃棄物収集車１の作動について説明する。
【００３８】
廃棄物を収集するには、まず、図６に示すように、廃棄物投入箱７の投入口７ａを開き、回転台１６を後方に倒す。
【００３９】
次いで、ガイドレール２８の下端（下降位置）に位置する昇降バケット１１に魚のあらなどの廃棄物を放り込む。このとき、バケット計量装置３０のリフタ３２は、下降させているので、計量台３４が上端開口３３ａを閉じている。
【００４０】
次いで、左右の昇降シリンダ３７のシリンダロッド３７ａを伸ばしてシリンダ側カム部材３６及び計量台側カム部材３８を揺動させて計量台３４を昇降させる。このことで、廃棄物が投入された昇降バケット１１の質量が計量される。このため、簡単な操作で計量器３１が確実に昇降されるとともに、昇降シリンダ３７の力を伝えやすく、質量の重い昇降バケット１１の支持も可能である。なお、予め廃棄物を投入しない空の昇降バケット１１の質量を同様に計量して袋引き（ゼロ点調整）しておくとよい。計量結果をデジタル表示計に表示させると共に記憶させる。計量後、バケット計量装置３０のリフタ３２は下降させておく。
【００４１】
次いで、バケットシリンダ２０を伸ばしてワイヤ１５を引っ張り、スライダ２３を上昇させ、昇降バケット１１を上昇させる。ガイドローラ２９がガイドレール２８の上端部２８ａにさしかかると、昇降バケット１１は反転を開始し、中の廃棄物が収集口７ｃを通って廃棄物収集箱４に投入される。
【００４２】
次いで、バケットシリンダ２０を縮めてワイヤ１５を繰り出し、スライダ２３を下降させ、昇降バケット１１を下降位置まで下降させる。この一連のサイクルが繰り返される。
【００４３】
廃棄物を収集後、記憶させたデータを集計して印刷し、その場で廃棄物の収集を依頼した業者に手渡す。記憶したデータは、事務所に持ち帰って集計作業を行ってもよい。
【００４４】
このように、廃棄物の収集と廃棄物の計量とが一連の流れ作業で同時に行われる。また、昇降バケット１１の質量を計量しないときに、計量器３１を下降させることで、昇降バケット１１が下降してきたときに、昇降バケット１１が計量器３１に衝突しないので、計量器３１の故障が防止される。
【００４５】
また、廃棄物投入箱７内のバケット計量装置３０によって、昇降バケット１１の質量を計量可能であるので、別途計量器３１を用意する必要がない。
【００４６】
さらに、バケット計量装置３０を廃棄物投入箱７内に設けたので、新たにスペースを必要とせず、廃棄物収集車１の外形が大きくなることはない。
【００４７】
なお、廃棄物が満杯となり、又は、収集ルートを回り終えた廃棄物収集箱４内の廃棄物を廃棄物処理場で排出するには、まず、図２に二点鎖線で示すように、回動シリンダ８を伸ばして廃棄物投入箱７を回動軸９を中心に回動させ、後方開口部３を開く。
【００４８】
次いで、図３に示すように、車体２に設けた傾動シリンダ５を伸ばして傾動軸６を中心に廃棄物収集箱４を傾動させて排出する。
【００４９】
このとき、廃棄物が、魚のあらなどの袋詰めできないような、水分を多く含んだものであるときには、廃棄物から汚水がにじみ出し、廃棄物収集箱４の底に多量に溜まることがある。このような場合でも、図１１に矢印で示すように、汚水と共に流れ出てくる廃棄物は、シュータ４０のテーパ面４０ａに誘導されて、左右内側に向かって流れ出す。このため、廃棄物及びその汚水はカバー体５２上に確実に流れ出て拡散せず、周囲を汚染することはない。
【００５０】
−実施形態の効果−
したがって、本実施形態にかかる廃棄物収集車１によると、廃棄物収集箱４を傾動させて排出される廃棄物及びその汚水を、後方開口部３の下端両隅角部４ｃ周縁に設けたシュータ４０で誘導するようにしたことにより、廃棄物収集箱４の容積の減少を最小限に保ちながら、廃棄物の排出時に廃棄物及びその汚水が拡散するのを確実に防ぐことができるので、周囲を汚さずに効率よく廃棄物を廃棄することができる。
【００５１】
上記実施形態では、廃棄物及びその汚水をシュータ４０のテーパ面４０ａによって左右内側に向かって流れ出すように誘導するようにしたことにより、簡単な構成で、廃棄物の拡散を防いで周囲の汚染を確実に防ぐことができる。
【００５２】
上記実施形態によれば、シュータを略三角錐台形状又は略三角錐形状としたことにより、廃棄物の付着がない上、製缶しやすく、最小限の大きさのシュータが得られる。
【００５３】
上記実施形態では、廃棄物を昇降バケット１１により、廃棄物収集箱４に収集するようにしたことにより、袋詰めできないような拡散しやすい廃棄物でも、その汚水と共にシュータ４０によって誘導し、その拡散を防止することができる。
【００５４】
（その他の実施形態）
本発明は、上記実施形態について、以下のような構成としてもよい。
【００５５】
すなわち、上記実施形態では、スライダ２３の昇降をバケットシリンダ２０の伸縮によりワイヤ１５を操作して行ったが、ウインチを用いて行ってもよい。また、リンク機構により、昇降バケット１１を昇降及び反転させてもよい。
【００５６】
上記実施形態では、リフタ３２は、カム部材３６，３８を用いて構成したが、上下に伸びるシリンダで計量第３４を直接昇降させてもよい。しかし、カム部材３６，３８を用いることで、高さ方向のスペースが小さくて済む。
【００５７】
上記実施形態では、シュータ４０は、略三角錐台形状のものとしたが、これに限定されない。三角錐形状でもよく、要は、後方に向かって左右内側に傾斜し、廃棄物収集箱４の底面に溜まる汚水の高さよりも高いテーパ面を有するものとすればよい。
【００５８】
上記実施形態では、廃棄物収集装置は、昇降バケット１１を有する反転投入装置１０としたが、これに限定されず、圧縮板式や回転式のものでもよい。
【００５９】
なお、以上の実施形態は、本質的に好ましい例示であって、本発明、その適用物や用途の範囲を制限することを意図するものではない。
【図面の簡単な説明】
【００６０】
【図１】反転投入装置の概要を示す側面図である。
【図２】本実施形態にかかる廃棄物収集車の側面図である。
【図３】廃棄物収集箱をダンプさせた様子を示す図２相当図である。
【図４】廃棄物収集車の背面図である。
【図５】反転投入装置の概要を示す斜視図である。
【図６】反転投入装置を後方から見た斜視図である。
【図７】昇降バケットが上昇する様子の概要を示す側方断面図である。
【図８】昇降バケットが反転する様子の概要を示す側方断面図である。
【図９】反転投入装置のワイヤリングの概要を示す斜視図である。
【図１０】バケット計量装置の断面図である。
【図１１】後方開口部の下端両隅角部周縁を拡大して示す斜視図である。
【図１２】廃棄物投入箱を回動させて後方開口部を開いた状態を後方から見た斜視図である。
【符号の説明】
【００６１】
１      廃棄物収集車
２      車体
３      後方開口部
４      廃棄物収集箱
４ｃ    下端両隅角部
７      廃棄物投入箱
７ａ    投入口
１０      反転投入装置（廃棄物収集装置）
１１      昇降バケット
４０      シュータ
４０ａ    テーパ面
【図１】
2008308291.tif 000003
【図２】
2008308291.tif 000004
【図３】
2008308291.tif 000005
【図４】
2008308291.tif 000006
【図５】
2008308291.tif 000007
【図６】
2008308291.tif 000008
【図７】
2008308291.tif 000009
【図８】
2008308291.tif 000010
【図９】
2008308291.tif 000011
【図１０】
2008308291.tif 000012
【図１１】
2008308291.tif 000013
【図１２】
2008308291.tif 000014